(57)【要約】      （修正有）【課題】ひとつのコード情報で任意の情報提供ページへの配信処理を可能とするウェブページの配信処理システムを提供する。【解決手段】閲覧端末１０は配信処理サーバ２０に対し、コード画像１１から読み取った配信アドレス３１への配信リクエストを行う。配信処理サーバは、配信アドレスに対応して関連付けたアドレス群２２Ａを、個別アドレス３３の配信可否を示すフラグ３４とともに格納し、配信リクエストに係る配信アドレスに対応するアドレス群から、フラグが配信可能なアドレスを読みだして転送する。ウェブサーバ４０は、各個別アドレスに対応した情報提供ページ４３を格納し、転送で受付けた配信可能アドレスに対応する情報提供ページの閲覧を可能にする。設定端末５０は、配信処理サーバに格納されたアドレス群から、配信可能にする個別アドレスを決めるフラグを設定する。【選択図】図２
0003225742.tif 000002
【実用新案登録請求の範囲】
【請求項１】
インターネットを経由して通信可能な閲覧端末と配信処理サーバとウェブサーバならびに設定端末を備え、
上記閲覧端末は、
バーコードまたは二次元コードによるコード画像から読み取った配信アドレスに対し、上記インターネットを経由した配信リクエストを上記配信処理サーバに対して行う配信リクエスト手段を有し、
上記配信処理サーバは、
上記配信アドレスに対応して関連付けたアドレス群を、上記アドレス群を構成するそれぞれの個別アドレスの配信可否を示すフラグとともに格納するアドレス群格納部と、
上記配信リクエストの受信に応じて、当該配信リクエストに係る上記配信アドレスに対応する上記アドレス群のなかから、当該配信リクエストを受け付けたときに上記フラグが配信可となった個別アドレスである配信可能アドレスを読みだして、当該読みだした配信可能アドレスに対する配信リクエストの転送を上記ウェブサーバに対して行う転送手段を有し、
上記ウェブサーバは、
上記各個別アドレスにそれぞれ対応した複数の情報提供ページを格納する情報提供ページ格納部と、
上記転送手段による転送に応じ、上記複数の情報提供ページのうち上記転送によって受け付けた上記配信可能アドレスに対応する情報提供ページを上記閲覧端末において閲覧可能に出力する出力手段を有し、
上記設定端末は、
上記配信処理サーバとの通信により、上記アドレス群格納部に格納されているアドレス群のなかから、どの個別アドレスのフラグを配信可能にするかのフラグを設定するフラグ設定手段を有している
ことを特徴とするウェブページの配信処理システム。
【請求項２】
インターネットを経由して、閲覧端末、ウェブサーバならびに設定端末とのあいだで通信可能なウェブページの配信処理サーバであって、
上記閲覧端末との通信により、上記閲覧端末が、バーコードまたは二次元コードによるコード画像から読み取った配信アドレスに対して上記インターネットを経由して行う配信リクエストを受付ける配信リクエスト受付手段と、
上記配信アドレスに対応して関連付けたアドレス群を、上記アドレス群を構成するそれぞれの個別アドレスの配信可否を示すフラグとともに格納するアドレス群格納部と、
上記配信リクエストの受信に応じて、当該配信リクエストに係る上記配信アドレスに対応する上記アドレス群のなかから、当該配信リクエストを受け付けたときに上記フラグが配信可となった個別アドレスである配信可能アドレスを読みだして、当該読みだした配信可能アドレスに対する配信リクエストの転送を上記ウェブサーバに対して行う転送手段と、
上記ウェブサーバに対する上記転送により、上記ウェブサーバの情報提供ページ格納部に上記各個別アドレスにそれぞれ対応して格納された複数の情報提供ページのうち、上記転送した上記配信可能アドレスに対応する情報提供ページを上記閲覧端末において閲覧可能にする閲覧可能化手段と、
上記設定端末との通信により、上記アドレス群格納部に格納されているアドレス群のなかから、どの個別アドレスを配信可能にするかのフラグを上記設定端末から受付けて設定するフラグ設定受付手段とを備えている
ことを特徴とするウェブページの配信処理サーバ。
【請求項３】
上記配信アドレスは、それぞれ異なる属性情報を伴う複数種類が存在し、
上記アドレス群は、上記属性情報に対応して複数種類が存在し、
上記配信リクエストは、上記属性情報を伴う配信アドレスに対して行う
請求項２記載のウェブページの配信処理サーバ。
【請求項４】
上記フラグ設定受付手段は、上記フラグの設定をタイマー予約しうるように構成されている
請求項２または３記載のウェブページの配信処理サーバ。
【請求項５】
請求項２〜４のいずれか一項に記載したウェブページの配信処理サーバにおいて、上記ウェブページの配信処理を実行するためのステップを、上記ウェブページの配信処理サーバであるコンピュータ装置に実行させることを特徴とするウェブページの配信処理プログラム。
【考案の詳細な説明】
【技術分野】
【０００１】
本考案は、バーコードまたは二次元コードによるコード画像から読み取った配信アドレスによる配信リクエストに応じて情報提供ページの閲覧を可能とするウェブページの配信処理システムおよびサーバならびにプログラムに関する。
【背景技術】
【０００２】
従来から、バーコードリーダによって読み取ったバーコードデータを分類配信するシステムが考案されている。このようなシステムに関する先行技術文献として、本出願人は下記の特許文献１を把握している。特許文献１のシステムは、個々のバーコードに付与された属性に応じてそのバーコードデータを所定の処理の下に分類して配信処理するものである。
【先行技術文献】
【特許文献】
【０００３】
【特許文献１】特開２００１−３２５４８７号公報
【０００４】
上記特許文献１には、下記の記載がある。
〔請求項１〕
通信回線網に接続可能なバーコードリーダによって読み取られてその通信回線網に送出されたバーコードデータを配信処理するシステムであって、次の要件を備えた配信装置を有することを特徴とする。
（１）上記通信回線網に接続されており、上記バーコードリーダによって読み取られたバーコードデータをその通信回線網を介して受信する。
（２）上記受信したバーコードデータを配信すべき配信先を示す配信先情報が、それらのバーコードデータに付与されている属性に対応して、あらかじめ定義され格納されている。
（３）上記受信したバーコードデータが有する属性を抽出し、その属性に対応して定義されている上記配信先情報を読み出す。バーコードデータは、読み出された配信先情報に対応して所定の領域に格納される。
（４）上記格納されたバーコードデータは、所定の手順によってその配信先情報によって特定される配信先に含まれるコンピュータに転送される。
〔００２２〕
制御部１２０は受信したバーコードデータが持っている属性を取得し、あらかじめ定義されている属性と配信先情報及び指定されたデータ処理との対応関係を格納するデータベースを参照してバーコードデータの振り分け処理を実行する。
〔００２７〕
まず、通信インターフェイス１１０を介してユーザ端末Ｕ１〜Ｕ３からのバーコードデータを受信する（Ｓ３１０）。制御部１２０では、それに応じて配信先判定のための初期値の組合せ（Ｋ，Ｍ）を参照用データベースから読込む（Ｓ３１２）。本実施形態の場合は前記したようにバーコードが表す数値データの範囲に応じて配信先を割り当てているため、Ｋ＝００００、Ｍ＝０９９９が読み出される。この初期値に基づいて、バーコードデータが数値Ｋ及びＭで挾まれる領域に該当するかどうかが調べられる（Ｓ３１４）。すなわち、００００≦（バーコードデータの値）≦０９９９という関係が成立すれば（Ｓ３１４  Yes）、そのバーコードデータは参照用データベースに基づいて「Ａ工業」宛てに配信されるべきものであると判定される。バーコードデータが上記の初期値Ｋ、Ｍで規定される範囲にない場合には（Ｓ３１４  No）、Ｋ、Ｍの値を更新し（Ｓ３２２）、再度バーコードデータと比較する。この実施形態の場合には、Ｋ＝１０００、Ｍ＝１９９９が読込まれることになる。Ｋ、Ｍの値を更新する際に、該当するＫ、Ｍの値が存在しない場合には（Ｓ３２４  Yes）、受信したバーコードデータになんらかの不良が含まれているために該当配信先が認識できなかったと判定して、表示部１５０に表示する等の所定のエラー処理を行う（Ｓ３２８）。
〔００２８〕
配信先判定ステップＳ３１４によって配信先が認識された場合には（Ｓ３１４Yes）、その認識された配信先に応じて設定されている指定処理を実行する（Ｓ３１６）。図３に例示しているように、配信先が「Ｂ介護サービス」（コード：ＢＣＳ）であると判定された場合には（Ｓ３１４において、１０００≦（バーコードデータの値）≦１９９９）、あらかじめ「Ｂ介護サービス」との間で取り決めた仕様にしたがって、バーコードデータが表す作業内容の項目と、そのバーコードデータが配信処理装置ＤＳによって受信された時刻（装置ＤＳのシステムクロックから取得）から算出した作業時間とを集計して、例えばＣＳＶ形式のファイルを生成して、ホストコンピュータ２００Ｂ内の所定のディレクトリに宛てて送信する。また、配信先が「Ｃソフトウェア開発」（コード：ＣＳＤ）であると判定された場合には（Ｓ３１４において、２０００≦（バーコードデータの値）≦２９９９）、あらかじめ「Ｃソフトウェア開発」との間で取り決めた仕様にしたがって、バーコードデータをそのままホストコンピュータ２００Ｃに送信する。この場合、各配信先情報に応じて配信装置内の所定の格納領域に格納されたバーコードデータに、配信先のホストコンピュータがアクセスしてその格納されたバーコードデータを取得するように構成してもよい。
【考案の概要】
【考案が解決しようとする課題】
【０００５】
しかしながら、上記特許文献１のシステムは、バーコードデータが有する属性とその属性に対応して定義されている配信先情報が１対１で対応したものである。つまり、ひとつのバーコードデータに対応する配信先情報はひとつに限定される。たとえば、特許文献１の例における「Ａ工業」は、あらかじめ複数の配信先情報（たとえば「配信先１〜５」）を準備しておいて、いずれか任意の配信先に配信処理をすることはできない。上記特許文献１のシステムでは、複数の配信先に配信処理を行おうとすれば、配信先と同じ数だけのバーコードデータが必要となるのである。このようなシステムでは、たとえば配信先を日替わりで変更するなど、頻繁でタイムリーな情報提供には甚だ不向きである。
一方、上記のように、あらかじめ複数の配信先を準備し、ひとつのバーコードでいずれか任意の配信先に配信処理ができれば、日替わりで配信先を変更するなどの頻繁でタイムリーな情報提供が容易に行え、極めて利便性が高くなる。
【０００６】
本考案は、このような事情に鑑みてなされたものであり、その目的は、つぎのウェブページの配信処理システムおよびサーバならびにプログラムを提供することにある。
あらかじめ複数の情報提供ページを準備し、ひとつのコード情報でいずれか任意の情報提供ページへの配信処理を可能とする。
【課題を解決するための手段】
【０００７】
請求項１記載のウェブページの配信処理システムは、上記の目的を達成するため、つぎの構成を採用した。
インターネットを経由して通信可能な閲覧端末と配信処理サーバとウェブサーバならびに設定端末を備え、
上記閲覧端末は、
バーコードまたは二次元コードによるコード画像から読み取った配信アドレスに対し、上記インターネットを経由した配信リクエストを上記配信処理サーバに対して行う配信リクエスト手段を有し、
上記配信処理サーバは、
上記配信アドレスに対応して関連付けたアドレス群を、上記アドレス群を構成するそれぞれの個別アドレスの配信可否を示すフラグとともに格納するアドレス群格納部と、
上記配信リクエストの受信に応じて、当該配信リクエストに係る上記配信アドレスに対応する上記アドレス群のなかから、当該配信リクエストを受け付けたときに上記フラグが配信可となった個別アドレスである配信可能アドレスを読みだして、当該読みだした配信可能アドレスに対する配信リクエストの転送を上記ウェブサーバに対して行う転送手段を有し、
上記ウェブサーバは、
上記各個別アドレスにそれぞれ対応した複数の情報提供ページを格納する情報提供ページ格納部と、
上記転送手段による転送に応じ、上記複数の情報提供ページのうち上記転送によって受け付けた上記配信可能アドレスに対応する情報提供ページを上記閲覧端末において閲覧可能に出力する出力手段を有し、
上記設定端末は、
上記配信処理サーバとの通信により、上記アドレス群格納部に格納されているアドレス群のなかから、どの個別アドレスのフラグを配信可能にするかのフラグを設定するフラグ設定手段を有している。
【０００８】
請求項２記載のウェブページの配信処理サーバは、上記の目的を達成するため、つぎの構成を採用した。
インターネットを経由して、閲覧端末、ウェブサーバならびに設定端末とのあいだで通信可能なウェブページの配信処理サーバであって、
上記閲覧端末との通信により、上記閲覧端末が、バーコードまたは二次元コードによるコード画像から読み取った配信アドレスに対して上記インターネットを経由して行う配信リクエストを受付ける配信リクエスト受付手段と、
上記配信アドレスに対応して関連付けたアドレス群を、上記アドレス群を構成するそれぞれの個別アドレスの配信可否を示すフラグとともに格納するアドレス群格納部と、
上記配信リクエストの受信に応じて、当該配信リクエストに係る上記配信アドレスに対応する上記アドレス群のなかから、当該配信リクエストを受け付けたときに上記フラグが配信可となった個別アドレスである配信可能アドレスを読みだして、当該読みだした配信可能アドレスに対する配信リクエストの転送を上記ウェブサーバに対して行う転送手段と、
上記ウェブサーバに対する上記転送により、上記ウェブサーバの情報提供ページ格納部に上記各個別アドレスにそれぞれ対応して格納された複数の情報提供ページのうち、上記転送した上記配信可能アドレスに対応する情報提供ページを上記閲覧端末において閲覧可能にする閲覧可能化手段と、
上記設定端末との通信により、上記アドレス群格納部に格納されているアドレス群のなかから、どの個別アドレスを配信可能にするかのフラグを上記設定端末から受付けて設定するフラグ設定受付手段とを備えている。
【０００９】
請求項３記載のウェブページの配信処理サーバは、請求項２記載の構成に加え、つぎの構成を採用した。
上記配信アドレスは、それぞれ異なる属性情報を伴う複数種類が存在し、
上記アドレス群は、上記属性情報に対応して複数種類が存在し、
上記配信リクエストは、上記属性情報を伴う配信アドレスに対して行う。
【００１０】
請求項４記載のウェブページの配信処理サーバは、請求項２または３記載の構成に加え、つぎの構成を採用した。
上記フラグ設定受付手段は、上記フラグの設定をタイマー予約しうるように構成されている。
【００１１】
請求項５記載のウェブページの配信処理プログラムは、上記の目的を達成するため、つぎの構成を採用した。
請求項２〜４のいずれか一項に記載したウェブページの配信処理サーバにおいて、上記ウェブページの配信処理を実行するためのステップを、上記ウェブページの配信処理サーバであるコンピュータ装置に実行させる。
【考案の効果】
【００１２】
請求項１記載のウェブページの配信処理システムは、インターネットを経由して通信可能な閲覧端末と配信処理サーバとウェブサーバならびに設定端末を備えている。
上記閲覧端末は配信リクエスト手段を有する。上記配信リクエスト手段は上記配信処理サーバに対し、バーコードまたは二次元コードによるコード画像から読み取った配信アドレスに対し、上記インターネットを経由した配信リクエストを行う。
上記配信処理サーバは、アドレス群格納部と転送手段を有する。上記アドレス群格納部は、上記配信アドレスに対応して関連付けたアドレス群を、上記アドレス群を構成するそれぞれの個別アドレスの配信可否を示すフラグとともに格納する。上記転送手段は、上記配信リクエストの受信に応じて、当該配信リクエストに係る上記配信アドレスに対応する上記アドレス群のなかから、当該配信リクエストを受け付けたときに上記フラグが配信可となった個別アドレスである配信可能アドレスを読みだして、当該読みだした配信可能アドレスに対する配信リクエストの転送を上記ウェブサーバに対して行う。上記ウェブサーバは、情報提供ページ格納部と出力手段を有する。上記情報提供ページ格納部は、上記各個別アドレスにそれぞれ対応した複数の情報提供ページを格納する。上記出力手段は、上記転送手段による転送に応じ、上記複数の情報提供ページのうち上記転送によって受け付けた上記配信可能アドレスに対応する情報提供ページを上記閲覧端末において閲覧可能に出力する。
上記設定端末は、フラグ設定手段を有する。上記フラグ設定手段は、上記配信処理サーバとの通信により、上記アドレス群格納部に格納されているアドレス群のなかから、どの個別アドレスのフラグを配信可能にするかのフラグを設定する。
【００１３】
上記のような構成により、あらかじめ複数の情報提供ページを準備し、ひとつのコード情報でいずれか任意の情報提供ページに配信処理をすることが可能となる。これにより、たとえば日替わりで配信先の個別アドレスを変更し、閲覧させる情報提供ページを日替わりにするなど、頻繁でタイムリーな情報提供が容易に行え、極めて利便性が高くなる。
【００１４】
請求項２記載のウェブページの配信処理サーバは、インターネットを経由して、閲覧端末、ウェブサーバならびに設定端末とのあいだで通信可能なサーバである。
上記配信処理サーバは、配信リクエスト受付手段と、アドレス群格納部と、転送手段と、閲覧可能化手段と、フラグ設定受付手段とを備えている。
上記配信リクエスト受付手段は、上記閲覧端末との通信により、上記閲覧端末が、バーコードまたは二次元コードによるコード画像から読み取った配信アドレスに対して上記インターネットを経由して行う配信リクエストを受付ける。
上記アドレス群格納部は、上記配信アドレスに対応して関連付けたアドレス群を、上記アドレス群を構成するそれぞれの個別アドレスの配信可否を示すフラグとともに格納する。
上記転送手段は、上記配信リクエストの受信に応じて、当該配信リクエストに係る上記配信アドレスに対応する上記アドレス群のなかから、当該配信リクエストを受け付けたときに上記フラグが配信可となった個別アドレスである配信可能アドレスを読みだして、当該読みだした配信可能アドレスに対する配信リクエストの転送を上記ウェブサーバに対して行う。
上記閲覧可能化手段は、上記ウェブサーバに対する上記転送により、上記ウェブサーバの情報提供ページ格納部に上記各個別アドレスにそれぞれ対応して格納された複数の情報提供ページのうち、上記転送した上記配信可能アドレスに対応する情報提供ページを上記閲覧端末において閲覧可能にする。
上記フラグ設定受付手段は、上記設定端末との通信により、上記アドレス群格納部に格納されているアドレス群のなかから、どの個別アドレスを配信可能にするかのフラグを上記設定端末から受付けて設定する。
【００１５】
上記のような構成により、あらかじめ複数の情報提供ページを準備し、ひとつのコード情報でいずれか任意の情報提供ページに配信処理をすることが可能となる。これにより、たとえば日替わりで配信先の個別アドレスを変更し、閲覧させる情報提供ページを日替わりにするなど、頻繁でタイムリーな情報提供が容易に行え、極めて利便性が高くなる。
【００１６】
請求項３記載のウェブページの配信処理サーバは、上記配信アドレスは、それぞれ異なる属性情報を伴う複数種類が存在する。また、上記アドレス群は、上記属性情報に対応して複数種類が存在する。さらに、上記配信リクエストは、上記属性情報を伴う配信アドレスに対して行う。
たとえば複数の情報提供主体ごとに異なる属性情報を付与し、それぞれの情報提供主体がひとつのコード情報でいずれか任意の情報提供ページに配信処理をすることが可能となる。これにより、上記各情報提供主体はそれぞれ、たとえば日替わりで配信先の個別アドレスを変更し、閲覧させる情報提供ページを日替わりにするなど、頻繁でタイムリーな情報提供が容易に行え、極めて利便性が高くなる。
【００１７】
請求項４記載のウェブページの配信処理サーバは、上記フラグ設定受付手段は、上記フラグの設定をタイマー予約しうるように構成されている。
あらかじめ準備した複数の情報提供ページに対応する個別アドレスへのフラグの設定をタイマー予約することにより、たとえば日替わりで配信先の個別アドレスを変更し、閲覧させる情報提供ページを日替わりにするなど、頻繁でタイムリーな情報提供が容易に行え、極めて利便性が高くなる。
【００１８】
請求項５記載のウェブページの配信処理プログラムは、請求項２〜４のいずれか一項に記載したウェブページの配信処理サーバにおいて、上記ウェブページの配信処理を実行するためのステップを、上記ウェブページの配信処理サーバであるコンピュータ装置に実行させる。
【００１９】
上記のような構成により、あらかじめ複数の情報提供ページを準備し、ひとつのコード情報でいずれか任意の情報提供ページに配信処理をすることが可能となる。これにより、たとえば日替わりで配信先の個別アドレスを変更し、閲覧させる情報提供ページを日替わりにするなど、頻繁でタイムリーな情報提供が容易に行え、極めて利便性が高くなる。
【図面の簡単な説明】
【００２０】
【図１】本考案の一実施の形態のウェブページの配信処理システムを示す全体の構成図である。
【図２】本考案の一実施の形態のウェブページの配信処理サーバを中心とした各装置および端末の機能ブロック図である。
【図３】フラグ設定画面の一例を示す図である。
【図４】タイマー予約画面の一例を示す図である。
【考案を実施するための形態】
【００２１】
以下、本考案を実施するための形態について説明する。
【００２２】
◆全体構成
図１は、本考案の一実施の形態のウェブページの配信処理システムを示す全体の構成図である。
【００２３】
このシステムは、閲覧端末１０と配信処理サーバ２０とウェブサーバ４０ならびに設定端末５０を備えている。上記閲覧端末１０、配信処理サーバ２０、ウェブサーバ４０ならびに設定端末５０は、インターネットを経由して相互に通信可能な状態である。この例では、上記配信処理サーバ２０に対し、複数の閲覧端末１０が通信可能であり、おなじく複数のウェブサーバ４０が通信可能であり、おなじく複数の設定端末５０が通信可能である。
【００２４】
この例は、配信処理サーバ２０およびウェブサーバ４０と閲覧端末１０が通信し、配信処理サーバ２０と設定端末５０が通信するなかで、上記配信処理サーバ２０において本考案のウェブページの配信処理プログラムを実行し、本考案のウェブページの配信処理システムとして機能する。
【００２５】
上記閲覧端末１０は、バーコードまたは二次元コードによるコード画像１１から読み取った配信アドレス３１に対し、上記インターネットを経由した配信リクエストを、上記配信処理サーバ２０に対して行う。上記配信リクエストは、後述する配信リクエスト手段１２により行う。
【００２６】
上記配信処理サーバ２０は、上記配信アドレス３１に対応して関連付けたアドレス群２２Ａを、上記アドレス群２２Ａを構成するそれぞれの個別アドレスの配信可否を示すフラグとともに格納している。上記アドレス群２２Ａは、後述するアドレス群格納部２２に格納されている。
【００２７】
上記配信処理サーバ２０は、上記配信リクエストの受信に応じて、当該配信リクエストに係る上記配信アドレス３１に対応する上記アドレス群２２Ａのなかから、当該配信リクエストを受け付けたときに上記フラグが配信可となった個別アドレスである配信可能アドレスを読みだして、当該読みだした配信可能アドレスに対する配信リクエストの転送を上記ウェブサーバに対して行う。上記転送は、後述する転送手段２３により行う。
【００２８】
上記ウェブサーバ４０は、上記各個別アドレスにそれぞれ対応した複数の情報提供ページを格納している。上記複数の情報提供ページは、後述する情報提供ページ格納部４１に格納されている。
【００２９】
上記ウェブサーバ４０は、上記転送手段２３による転送に応じ、上記複数の情報提供ページのうち上記転送によって受け付けた上記配信可能アドレスに対応する情報提供ページを上記閲覧端末１０において閲覧可能に出力する。上記出力は、後述する出力手段４２により行う。
【００３０】
上記設定端末５０は、上記配信処理サーバ２０との通信により、上記アドレス群格納部２２に格納されているアドレス群２２Ａのなかから、どの個別アドレスのフラグを配信可能にするかのフラグを設定する。上記フラグの設定は、後述するフラグ設定手段５１により行う。
【００３１】
◆詳細構成
図２は、上述した配信処理システムの詳細を説明するものであり、本考案の一実施の形態であるウェブページの配信処理サーバ２０を中心とした各装置および端末の機能ブロック図である。図２では、閲覧端末１０、ウェブサーバ４０および設定端末５０をひとつずつしか示していないが、実際には図１のように、閲覧端末１０、ウェブサーバ４０および設定端末５０は、それぞれ複数が、配信処理サーバ２０に対して通信可能である。
【００３２】
〔閲覧端末１０〕
上記閲覧端末１０には、たとえばスマートフォン端末、タブレット端末、コンピュータ端末等の端末装置を用いることができる。
【００３３】
これらの端末装置は、タッチパネル、キーボード、マウス等の入力手段、液晶ディスプレイ等による表示手段、メインメモリやＨＤＤ等による記憶装置、カメラ装置等による撮影手段、ＣＰＵを含む演算処理装置等から構成されたコンピュータ装置である。
【００３４】
これらのコンピュータ装置は、インターネットに接続して通信するための通信手段を備え、インターネットを経由して配信処理サーバ２０およびウェブサーバ４０と通信可能に構成されている。具体的には、後述するように、配信処理サーバ２０に対して配信リクエストを行う。また、ウェブサーバ４０が出力したウェブページである情報提供ページ４３を受信して表示手段に画面として表示する。
【００３５】
上記閲覧端末１０は、読取手段１３と、配信リクエスト手段１２と、閲覧手段１４を備えている。
【００３６】
上記読取手段１３は、コード画像１１から取得した画像データから配信アドレス３１を読み取る。上記コード画像１１としては、具体的には、バーコードまたは二次元コードを用いることができる。上記読取手段１３は、カメラ等の撮影手段により上記コード画像１１から画像データを取得し、上記画像データから配信アドレス３１を読み取る。上記配信アドレス３１は、たとえば「ｈｔｔｐｓ：／／ｗｗｗ．ａｉｕｅｏ．ｊｐ／Ａ」のようなインターネット上のネットワークアドレスである。
【００３７】
上記配信リクエスト手段１２は、上記読取手段１３が上記コード画像１１から読み取った上記配信アドレス３１に対し、上記インターネットを経由した配信リクエストを、上記配信処理サーバ２０に対して行う。
【００３８】
具体的には、上記読取手段１３が、カードやチラシなどに印刷されたコード画像１１をカメラ等で撮影して画像データを取得する。上記配信リクエスト手段１２は、上記取得した画像データを上述したような配信アドレス３１に変換し、インターネット経由で上記配信アドレス３１に接続する。この配信アドレス３１は、上記配信処理サーバ２０において与えられた固有のネットワークアドレス（ＵＲＬ）である。つまり、閲覧端末１０による上記配信リクエストは、上記配信処理サーバ２０で受け付けられる。
【００３９】
上記閲覧手段１４は、上記ウェブサーバ４０が出力した情報提供ページ４３を、閲覧に供するよう、図示しない表示手段に表示する。上記ウェブサーバ４０による情報提供ページ４３の出力については後述する。
【００４０】
〔配信処理サーバ２０〕
上記配信処理サーバ２０は、上記閲覧端末１０、ウェブサーバ４０ならびに設定端末５０とのあいだでインターネットを経由して通信可能なサーバ装置である。当該サーバ装置は、各種のデータが格納される記憶装置と、各端末装置との通信、データの入出力、データの格納や読み出し、データ処理等の処理を行う処理装置とを備えている。
【００４１】
上記配信処理サーバ２０は、通信操作部や大容量データ記憶装置などを備えたシステムであり、中央処理装置がハードディスク装置等の外部記憶装置に記録されたプログラムを読み出し、そのプログラムに従って処理を実行することにより種々の機能を実現する。
【００４２】
上記配信処理サーバ２０は、インターネットを介してアクセスしてきた各端末装置と、例えばＨＴＴＰ（ＨｙｐｅｒＴｅｘｔ  Ｔｒａｎｓｆｅｒ  Ｐｒｏｔｏｃｏｌ）等のプロトコルに従ってデータ通信を行うことでＷＥＢ配信サーバとして機能する。すなわち、上記配信処理サーバ２０は、閲覧端末１０や設定端末５０からの要求に応じて、ＨＴＭＬ（ＨｙｐｅｒＴｅｘｔ  Ｍａｒｋｕｐ  Ｌａｎｇｕａｇｅ）等のデジタル文書記述言語により記述された文書や画像を含むデータであるウェブページを閲覧端末１０や設定端末５０へ向けて送信する。閲覧端末１０や設定端末５０では、例えばブラウザ装置により、それらのウェブページをディスプレイ等の表示装置に表示し、情報の閲覧に供したり、必要な情報の入力や配信処理サーバ２０への送信を行ったりする。
【００４３】
上記配信処理サーバ２０において、固有のネットワークアドレス（上述した配信アドレス３１である）が与えられている。上記閲覧端末１０において、この配信アドレス３１（ＵＲＬ）を指定することにより、配信処理サーバ２０へのアクセスが行なわれ、配信リクエストが行なわれる。上記配信リクエストに応じ、本実施形態のウェブページの配信処理プログラムが実行され、本実施形態のウェブページの配信処理が実行される。
【００４４】
具体的には、上述したＨＴＭＬ等のデジタル文書記述言語により記述された文書や画像を含むデータがホームページとして、上記閲覧端末１０や設定端末５０において表示される。上記閲覧端末１０や設定端末５０に表示された上記ホームページにおいて、必要に応じて必要なデータや選択入力操作が入力され、配信処理サーバ２０に対する送信を行うことにより、意思決定情報やメッセージ等を配信処理サーバ２０に対して送信するようになっている。
【００４５】
上記配信処理サーバ２０は、配信リクエスト受付手段２１と、アドレス群格納部２２と、転送手段２３と、閲覧可能化手段２４と、フラグ設定受付手段２５とを備えている。
【００４６】
▽配信リクエスト受付手段２１
上記配信リクエスト受付手段２１は、上記閲覧端末１０との通信により、上記閲覧端末１０が、バーコードまたは二次元コードによるコード画像１１から読み取った配信アドレス３１に対して上記インターネットを経由して行う配信リクエストを受付ける。
【００４７】
上記配信リクエスト受付手段２１は、上記配信リクエストで指定された配信アドレス３１を認識し、当該配信処理サーバ２０において与えられた同じ配信アドレス３１に係るホームページを上記閲覧端末１０に出力し、後述する転送手段２３による転送処理を実行する。
【００４８】
上記配信処理サーバ２０において与えられた配信アドレス３１にはアドレス群２２Ａが関連付けられている。つまり、ひとつの配信アドレス３１にひとつのアドレス群２２Ａが関連付けられている。言い換えれば、固有の配信アドレス３１とひとつのアドレス群２２Ａが１対１で対応している。
【００４９】
▽アドレス群格納部２２
上記アドレス群格納部２２は、上述したように配信アドレス３１に対応して関連付けたアドレス群２２Ａを、上記アドレス群２２Ａを構成するそれぞれの個別アドレス３３の配信可否を示すフラグ３４とともに格納する。
【００５０】
▽個別アドレス３３
上記個別アドレス３３は、上記転送手段２３による転送処理において、上述した配信リクエストを転送する転送先のアドレスである。この例では、個別アドレスＡ３３Ａ、個別アドレスＢ３３Ｂ、個別アドレスＣ３３Ｃ、個別アドレスＤ３３Ｄの４つのアドレスによってアドレス群２２Ａが構成され、アドレス群格納部２２に格納されている。
【００５１】
上記個別アドレス３３は、インターネット上のネットワークアドレス（ＵＲＬ）である。たとえば、個別アドレスＡ３３Ａを「ｈｔｔｐｓ：／／ｗｗｗ．ｋａｋｉｋｕ．ｊｐ／Ａ」、個別アドレスＢ３３Ｂを「ｈｔｔｐｓ：／／ｗｗｗ．ｋａｋｉｋｕ．ｊｐ／Ｂ」、個別アドレスＣ３３Ｃを「ｈｔｔｐｓ：／／ｗｗｗ．ｋａｋｉｋｕ．ｊｐ／Ｃ」、個別アドレスＤ３３Ｄを「ｈｔｔｐｓ：／／ｗｗｗ．ｋａｋｉｋｕ．ｊｐ／Ｄ」のようなアドレスとすることができる。
【００５２】
上記個別アドレスＡ３３Ａ、個別アドレスＢ３３Ｂ、個別アドレスＣ３３Ｃ、個別アドレスＤ３３Ｄにそれぞれ１対１対応するように、後述する情報提供ページＡ４３Ａ、情報提供ページＢ４３Ｂ、情報提供ページＣ４３Ｃ、情報提供ページＤ４３Ｄが設けられている。これらの情報提供ページ４３は、後述するように、ウェブサーバ４０に格納されている。
【００５３】
▽フラグ３４
上記フラグ３４は、それぞれの個別アドレスＡ３３Ａ、個別アドレスＢ３３Ｂ、個別アドレスＣ３３Ｃ、個別アドレスＤ３３Ｄに対応して設けられている。上記フラグ３４は、それぞれの個別アドレスＡ３３Ａ、個別アドレスＢ３３Ｂ、個別アドレスＣ３３Ｃ、個別アドレスＤ３３Ｄが、上記転送手段２３による転送処理における配信可否を示す情報である。図では、個別アドレスＢ３３Ｂが配信可であり、個別アドレスＡ３３Ａ、個別アドレスＣ３３Ｃおよび個別アドレスＤ３３Ｄがいずれも配信不可となった例を示している。
【００５４】
各個別アドレスＡ３３Ａ、個別アドレスＢ３３Ｂ、個別アドレスＣ３３Ｃ、個別アドレスＤ３３Ｄのうち、いずれを配信可とし、それ以外を配信不可とするかの設定は、後述するフラグ設定受付手段２５により行われる。
【００５５】
▽フラグ設定受付手段２５
上記フラグ設定受付手段２５は、上記設定端末５０との通信により、上記アドレス群格納部２２に格納されているアドレス群２２Ａのなかから、どの個別アドレス３３を配信可能にするかのフラグを上記設定端末５０から受付けて設定する。
【００５６】
ここで、複数の個別アドレス３３のうち、フラグ３４を配信可と設定するのはひとつであり、それ以外はすべて配信不可とする。このようにすることにより、後述する転送手段２３の転送処理において、閲覧端末１０からの配信リクエストが、配信可に設定された個別アドレス３３（図の例では個別アドレスＢ３３Ｂ）に対して転送処理が行われる。
【００５７】
上記フラグ設定受付手段２５は、上記設定端末５０との通信により、上記フラグ３４の設定をタイマー予約しうるように構成することもできる。この場合、上記フラグ設定受付手段２５は、各個別アドレスＡ３３Ａ、個別アドレスＢ３３Ｂ、個別アドレスＣ３３Ｃ、個別アドレスＤ３３Ｄごとに、配信可にする年月日時を設定して格納しておき、タイマー２６のカウントが設定した年月日時に到来したときに、該当する個別アドレス３３を配信可に設定する。この場合も、同時に２つ以上の個別アドレス３３が配信可となるような設定は排除される。つまり、配信可となる個別アドレス３３は常にひとつである。
【００５８】
▽転送手段２３
上記転送手段２３は、上記配信リクエストの受信に応じて、当該配信リクエストに係る上記配信アドレス３１に対応する上記アドレス群２２Ａのなかから、当該配信リクエストを受け付けたときに上記フラグ３４が配信可となった個別アドレス３３である配信可能アドレス（図の例では個別アドレス３３Ｂである）を読みだして、当該読みだした配信可能アドレスに対する配信リクエストの転送を上記ウェブサーバ４０に対して行う。
【００５９】
上記転送手段２３による転送処理により、閲覧端末１０から受け付けた配信アドレス３１に対する配信リクエストは、そのときの配信可能アドレス（図の例では個別アドレス３３Ｂ）に対して転送される。
【００６０】
▽閲覧可能化手段２４
上記閲覧可能化手段２４は、上記ウェブサーバ４０に対する上記転送により、上記ウェブサーバ４０の情報提供ページ格納部４１に上記各個別アドレス３３にそれぞれ対応して格納された複数の情報提供ページ４３のうち、上記転送した上記配信可能アドレス（図の例では個別アドレス３３Ｂ）に対応する情報提供ページ（図の例では情報提供ページＢ４３Ｂ）を上記閲覧端末１０において閲覧可能にする。上記ウェブサーバ４０では、後述するように、上記転送を受け付けることにより、上記配信可能アドレスに対応する情報提供ページ４３を出力する。
【００６１】
〔ウェブサーバ４０〕
上記ウェブサーバ４０は、上記閲覧端末１０および配信処理サーバ２０とのあいだでインターネットを経由して通信可能なサーバ装置である。当該サーバ装置は、各種のデータが格納される記憶装置と、各端末装置との通信、データの入出力、データの格納や読み出し、データ処理等の処理を行う処理装置とを備えている。
【００６２】
上記ウェブサーバ４０は、通信操作部や大容量データ記憶装置などを備えたシステムであり、中央処理装置がハードディスク装置等の外部記憶装置に記録されたプログラムを読み出し、そのプログラムに従って処理を実行することにより種々の機能を実現する。
【００６３】
上記ウェブサーバ４０は、インターネットを介してアクセスしてきた各端末装置と、例えばＨＴＴＰ（ＨｙｐｅｒＴｅｘｔ  Ｔｒａｎｓｆｅｒ  Ｐｒｏｔｏｃｏｌ）等のプロトコルに従ってデータ通信を行うことでＷＥＢ配信サーバとして機能する。すなわち、上記ウェブサーバ４０は、各端末装置からの要求に応じて、ＨＴＭＬ（ＨｙｐｅｒＴｅｘｔ  Ｍａｒｋｕｐ  Ｌａｎｇｕａｇｅ）等のデジタル文書記述言語により記述された文書や画像を含むデータであるウェブページを閲覧端末１０へ向けて送信する。閲覧端末１０では、例えばブラウザ装置により、それらのウェブページをディスプレイ等の表示装置に表示し、情報の閲覧に供することができる。
【００６４】
上記ウェブサーバ４０は、情報提供ページ格納部４１と、出力手段４２とを有している。
【００６５】
▽情報提供ページ格納部４１
上記情報提供ページ格納部４１は、上記各個別アドレス３３にそれぞれ対応した複数の情報提供ページ４３を格納する。図の例では、個別アドレスＡ３３Ａ、個別アドレスＢ３３Ｂ、個別アドレスＣ３３Ｃ、個別アドレスＤ３３Ｄにそれぞれ対応した情報提供ページＡ４３Ａ、情報提供ページＢ４３Ｂ、情報提供ページＣ４３Ｃ、情報提供ページＤ４３Ｄが格納されている。
【００６６】
▽出力手段４２
上記出力手段４２は、上記転送手段２３による転送と上記閲覧可能化手段２４の処理に応じ、上記複数の情報提供ページ４３のうち上記転送によって受け付けた上記配信可能アドレス（図の例では個別アドレスＢ３３Ｂ）に対応する情報提供ページ（図の例では情報提供ページＢ４３Ｂ）を上記閲覧端末１０において閲覧可能に出力する。
【００６７】
つまり、上記ウェブサーバ４０において、上記情報提供ページＡ４３Ａ、情報提供ページＢ４３Ｂ、情報提供ページＣ４３Ｃ、情報提供ページＤ４３Ｄには、それぞれ固有のネットワークアドレス（上述した個別アドレスＡ３３Ａ、個別アドレスＢ３３Ｂ、個別アドレスＣ３３Ｃ、個別アドレスＤ３３Ｄである）がそれぞれ与えられている。
【００６８】
上記閲覧端末１０から配信処理サーバ２０に対する配信リクエストがウェブサーバ４０に転送されることにより、上記閲覧端末１０において、上記転送に係る配信可能アドレス（図の例では個別アドレスＣ３３Ｃ）の指定が行われる。これにより、ウェブサーバ４０では、上記配信可能アドレス（図の例では個別アドレスＢ３３Ｂ）に対応する情報提供ページ（図の例では情報提供ページＤ４３Ｄ）が閲覧端末１０に対して閲覧可能に出力される。具体的には、上述したＨＴＭＬ等のデジタル文書記述言語により記述された文書や画像を含むデータがホームページとして、上記閲覧端末１０において表示される。
【００６９】
〔設定端末５０〕
上記設定端末５０には、たとえばスマートフォン端末、タブレット端末、コンピュータ端末等を用いることができる。
【００７０】
これらの端末装置は、タッチパネル、キーボード、マウス等の入力手段、液晶ディスプレイ等による表示手段、メインメモリやＨＤＤ等による記憶装置、カメラ装置等による撮影手段、ＣＰＵを含む演算処理装置等から構成されたコンピュータ装置である。
【００７１】
これらのコンピュータ装置は、インターネットに接続して通信するための通信手段を備え、インターネットを経由して配信処理サーバ２０と通信可能に構成されている。具体的には、後述するように、配信処理サーバ２０に対してフラグ３４の設定を行う。
【００７２】
上記設定端末５０は、上記配信処理サーバ２０との通信により、上記アドレス群格納部２２に格納されているアドレス群２２Ａのなかから、どの個別アドレスのフラグ３４を配信可能にするかのフラグを設定するフラグ設定手段５１を有している。上記フラグ設定手段５１による設定入力により、配信処理サーバ２０のフラグ設定受付手段２５が動作して、上述したようにフラグ３４の設定が行われる。
【００７３】
図３は、上記設定端末５０に表示されるフラグ設定画面６０の一例である。
上記フラグ設定画面６０は、上述した個別アドレスＡ３３Ａ、個別アドレスＢ３３Ｂ、個別アドレスＣ３３Ｃ、個別アドレスＤ３３Ｄが表示され、それぞれに対応するラジオボタン６１Ａ、６１Ｂ、６１Ｃ、６１Ｄが配置されている。フラグ３４を配信可にするラジオボタン（図の例では６１Ｂである）を選択し、設定ボタン６２をクリックすることにより、当該フラグの設定情報が配信処理サーバ２０に送信される。配信処理サーバ２０では、フラグ設定受付手段２５が動作して、受信したフラグ３４の設定が行われる。
【００７４】
図４は、上記設定端末５０に表示されるタイマー予約画面７０の一例である。
上記タイマー予約画面７０は、上述した個別アドレスＡ３３Ａ、個別アドレスＢ３３Ｂ、個別アドレスＣ３３Ｃ、個別アドレスＤ３３Ｄが表示され、それぞれに対応する年月日時設定手段７１Ａ、７１Ｂ、７１Ｃ、７１Ｄが配置されている。この例では、年月日時設定手段７１Ａ、７１Ｂ、７１Ｃ、７１Ｄは、それぞれプルダウンメニューにより年月日時を指定しうるようになっている。
【００７５】
各年月日時設定手段７１Ａ、７１Ｂ、７１Ｃ、７１Ｄにより配信可にするタイミングをタイマー予約し、設定ボタン７２をクリックすることにより、当該フラグのタイマー予約情報が配信処理サーバ２０に送信される。配信処理サーバ２０では、フラグ設定受付手段２５が動作して、受信したフラグ３４のタイマー予約が行われる。
【００７６】
〔ウェブページの配信処理プログラム〕
本発明のウェブページの配信処理プログラムは、上記ウェブページの配信処理サーバ２０において、上述したウェブページの配信処理を実行するためのステップを、上記配信処理サーバ２０であるコンピュータ装置に実行させるものである。
【００７７】
◆端末等が複数ある態様の説明
図２では、１つの配信処理サーバ２０に対して閲覧端末１０、ウェブサーバ４０、設定端末５０をそれぞれ１つずつしか示していないが、実際には図１に示したように、１つの配信処理サーバ２０に対してそれぞれ複数の閲覧端末１０、ウェブサーバ４０（４０Ａ、４０Ｂ・・・４０Ｘ）、設定端末５０（５０Ａ、５０Ｂ・・・５０Ｘ）を接続して配信処理を行ないうるようになっている。
【００７８】
つまり、上記配信アドレス３１は、それぞれ異なる属性情報を伴う複数種類が存在する。図１の例ではＡＤ−１、ＡＤ−２・・・ＡＤ−Ｘである。そして、上記アドレス群２２Ａは、上記属性情報に対応して複数種類が存在する図１の例ではＧ−１、Ｇ−２・・・Ｇ−Ｘである。
【００７９】
上記配信リクエストは、上記属性情報を伴う配信アドレスＡＤ−１、ＡＤ−２・・・ＡＤ−Ｘに対して行う。
【００８０】
たとえば、情報提供主体Ａ、Ｂ・・・Ｘごとに異なる配信アドレスＡＤ−１、ＡＤ−２・・・ＡＤ−Ｘを記録したコード画像１１Ａ、１１Ｂ・・・１１Ｘを使用する。上記各情報提供主体Ａ、Ｂ・・・Ｘごとに異なるウェブサーバ４０Ａ、４０Ｂ・・・４０Ｘならびに設定端末５０Ａ、５０Ｂ・・・５０Ｘを準備する。
【００８１】
配信処理サーバ２０では、上記各情報提供主体Ａ、Ｂ・・・Ｘごとに異なる配信アドレスＡＤ−１、ＡＤ−２・・・ＡＤ−Ｘを準備し、各配信アドレスＡＤ−１、ＡＤ−２・・・ＡＤ−Ｘに対応するアドレス群Ｇ−１、Ｇ−２・・・Ｇ−Ｘを構築する。
【００８２】
このような構成とすることにより、上記各情報提供主体Ａ、Ｂ・・・Ｘごとに上述した配信リクエストの転送処理が可能となり、それぞれの情報提供主体Ａ、Ｂ・・・Ｘが閲覧させる情報提供ページ４３を日替わりにするなど、頻繁でタイムリーな情報提供が容易に行え、極めて利便性が高くなる。
【００８３】
◆実施形態の効果
本実施形態によれば、上記のような構成により、あらかじめ複数の情報提供ページ４３を準備し、ひとつのコード情報でいずれか任意の情報提供ページ４３に配信処理をすることが可能となる。これにより、たとえば日替わりで配信先の個別アドレス３３を変更し、閲覧させる情報提供ページ４３を日替わりにするなど、頻繁でタイムリーな情報提供が容易に行え、極めて利便性が高くなる。
【００８４】
本実施形態は、上記配信アドレスは、それぞれ異なる属性情報を伴う複数種類が存在し、上記アドレス群は、上記属性情報に対応して複数種類が存在する。さらに、上記配信リクエストは、上記属性情報を伴う配信アドレスに対して行う。
たとえば複数の情報提供主体ごとに異なる属性情報を付与し、それぞれの情報提供主体がひとつのコード情報でいずれか任意の情報提供ページ４３に配信処理をすることが可能となる。これにより、上記各情報提供主体はそれぞれ、たとえば日替わりで配信先の個別アドレス３３を変更し、閲覧させる情報提供ページ４３を日替わりにするなど、頻繁でタイムリーな情報提供が容易に行え、極めて利便性が高くなる。
【００８５】
本実施形態は、上記フラグ設定受付手段２５が、上記フラグ３４の設定をタイマー予約しうるように構成されている。
あらかじめ準備した複数の情報提供ページ４３に対応する個別アドレス３３へのフラグ３４の設定をタイマー予約することにより、たとえば日替わりで配信先の個別アドレス３３を変更し、閲覧させる情報提供ページ４３を日替わりにするなど、頻繁でタイムリーな情報提供が容易に行え、極めて利便性が高くなる。
【００８６】
◆変形例
以上は本発明の特に好ましい実施形態について説明したが、本発明は示した実施形態に限定する趣旨ではなく、各種の態様に変形して実施することができ、本発明は各種の変形例を包含する趣旨である。
【符号の説明】
【００８７】
１０：閲覧端末
１１：コード画像
１１Ａ：コード画像
１１Ｂ：コード画像
１１Ｘ：コード画像
１２：配信リクエスト手段
１３：読取手段
１４：閲覧手段
２０：配信処理サーバ
２１：配信リクエスト受付手段
２２：アドレス群格納部
２２Ａ：アドレス群
Ｇ−１：アドレス群
Ｇ−２：アドレス群
Ｇ−Ｘ：アドレス群
２３：転送手段
２４：閲覧可能化手段
２５：フラグ設定受付手段
２６：タイマー
３１：配信アドレス
ＡＤ−１：配信アドレス
ＡＤ−２：配信アドレス
ＡＤ−Ｘ：配信アドレス
３３：個別アドレス
３３Ａ：個別アドレスＡ
３３Ｂ：個別アドレスＢ
３３Ｃ：個別アドレスＣ
３３Ｄ：個別アドレスＤ
３４：フラグ
４０：ウェブサーバ
４０Ａ：ウェブサーバ
４０Ｂ：ウェブサーバ
４０Ｘ：ウェブサーバ
４１：情報提供ページ格納部
４２：出力手段
４３：情報提供ページ
４３Ａ：情報提供ページＡ
４３Ｂ：情報提供ページＢ
４３Ｃ：情報提供ページＣ
４３Ｄ：情報提供ページＤ
５０：設定端末
５０Ａ：設定端末
５０Ｂ：設定端末
５０Ｘ：設定端末
５１：フラグ設定手段
６０：フラグ設定画面
６１Ａ：ラジオボタン
６１Ｂ：ラジオボタン
６１Ｃ：ラジオボタン
６１Ｄ：ラジオボタン
６２：設定ボタン
７０：タイマー予約画面
７１Ａ：年月日時設定手段
７１Ｂ：年月日時設定手段
７１Ｃ：年月日時設定手段
７１Ｄ：年月日時設定手段
７２：設定ボタン
【図１】
0003225742.tif 000003
【図２】
0003225742.tif 000004
【図３】
0003225742.tif 000005
【図４】
0003225742.tif 000006
【手続補正書】
【提出日】令和2年1月21日(2020.1.21)
【手続補正１】
【補正対象書類名】実用新案登録請求の範囲
【補正対象項目名】全文
【補正方法】変更
【補正の内容】
【実用新案登録請求の範囲】
【請求項１】
インターネットを経由して通信可能な閲覧端末と配信処理サーバとウェブサーバならびに設定端末を備え、
上記閲覧端末は、
バーコードまたは二次元コードによるコード画像から読み取った配信アドレスに対し、上記インターネットを経由した配信リクエストを上記配信処理サーバに対して行う配信リクエスト手段を有し、
上記配信処理サーバは、
上記配信アドレスに対応して関連付けたアドレス群を、上記アドレス群を構成するそれぞれの個別アドレスの配信可否を示すフラグとともに格納するアドレス群格納部と、
上記配信リクエストの受信に応じて、当該配信リクエストに係る上記配信アドレスに対応する上記アドレス群のなかから、当該配信リクエストを受け付けたときに上記フラグが配信可となった個別アドレスである配信可能アドレスを読みだして、当該読みだした配信可能アドレスに対する配信リクエストの転送を上記ウェブサーバに対して行う転送手段を有し、
上記ウェブサーバは、
上記各個別アドレスにそれぞれ対応した複数の情報提供ページを格納する情報提供ページ格納部と、
上記転送手段による転送に応じ、上記複数の情報提供ページのうち上記転送によって受け付けた上記配信可能アドレスに対応する情報提供ページを上記閲覧端末において閲覧可能に出力する出力手段を有し、
上記設定端末は、
上記配信処理サーバとの通信により、上記アドレス群格納部に格納されているアドレス群のなかから、どの個別アドレスのフラグを配信可能にするかのフラグを設定するフラグ設定手段を有している
ことを特徴とするウェブページの配信処理システム。
【請求項２】
インターネットを経由して、閲覧端末、ウェブサーバならびに設定端末とのあいだで通信可能なウェブページの配信処理サーバであって、
上記閲覧端末との通信により、上記閲覧端末が、バーコードまたは二次元コードによるコード画像から読み取った配信アドレスに対して上記インターネットを経由して行う配信リクエストを受付ける配信リクエスト受付手段と、
上記配信アドレスに対応して関連付けたアドレス群を、上記アドレス群を構成するそれぞれの個別アドレスの配信可否を示すフラグとともに格納するアドレス群格納部と、
上記配信リクエストの受信に応じて、当該配信リクエストに係る上記配信アドレスに対応する上記アドレス群のなかから、当該配信リクエストを受け付けたときに上記フラグが配信可となった個別アドレスである配信可能アドレスを読みだして、当該読みだした配信可能アドレスに対する配信リクエストの転送を上記ウェブサーバに対して行う転送手段と、
上記ウェブサーバに対する上記転送により、上記ウェブサーバの情報提供ページ格納部に上記各個別アドレスにそれぞれ対応して格納された複数の情報提供ページのうち、上記転送した上記配信可能アドレスに対応する情報提供ページを上記閲覧端末において閲覧可能にする閲覧可能化手段と、
上記設定端末との通信により、上記アドレス群格納部に格納されているアドレス群のなかから、どの個別アドレスを配信可能にするかのフラグを上記設定端末から受付けて設定するフラグ設定受付手段とを備えている
ことを特徴とするウェブページの配信処理サーバ。
【請求項３】
上記配信アドレスは、それぞれ異なる属性情報を伴う複数種類が存在し、
上記アドレス群は、上記属性情報に対応して複数種類が存在し、
上記配信リクエストは、上記属性情報を伴う配信アドレスに対して行う
請求項２記載のウェブページの配信処理サーバ。
【請求項４】
上記フラグ設定受付手段は、上記フラグの設定をタイマー予約しうるように構成されている
請求項２または３記載のウェブページの配信処理サーバ。
【手続補正３】
【補正対象書類名】明細書
【補正対象項目名】０００１
【補正方法】変更
【補正の内容】
【０００１】
本考案は、バーコードまたは二次元コードによるコード画像から読み取った配信アドレスによる配信リクエストに応じて情報提供ページの閲覧を可能とするウェブページの配信処理システムおよびサーバに関する。
【手続補正４】
【補正対象書類名】明細書
【補正対象項目名】０００６
【補正方法】変更
【補正の内容】
【０００６】
本考案は、このような事情に鑑みてなされたものであり、その目的は、つぎのウェブページの配信処理システムおよびサーバを提供することにある。
あらかじめ複数の情報提供ページを準備し、ひとつのコード情報でいずれか任意の情報提供ページへの配信処理を可能とする。
【手続補正５】
【補正対象書類名】明細書
【補正対象項目名】００１１
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２４
【補正方法】変更
【補正の内容】
【００２４】
この例は、配信処理サーバ２０およびウェブサーバ４０と閲覧端末１０が通信し、配信処理サーバ２０と設定端末５０が通信するなかで、上記配信処理サーバ２０においてウェブページの配信処理プログラムを実行し、本考案のウェブページの配信処理システムとして機能する。
【手続補正９】
【補正対象書類名】明細書
【補正対象項目名】００４３
【補正方法】変更
【補正の内容】
【００４３】
上記配信処理サーバ２０において、固有のネットワークアドレス（上述した配信アドレス３１である）が与えられている。上記閲覧端末１０において、この配信アドレス３１（ＵＲＬ）を指定することにより、配信処理サーバ２０へのアクセスが行なわれ、配信リクエストが行なわれる。上記配信リクエストに応じ、ウェブページの配信処理プログラムが実行され、本実施形態のウェブページの配信処理が実行される。
【手続補正１０】
【補正対象書類名】明細書
【補正対象項目名】００７６
【補正方法】変更
【補正の内容】
【００７６】
〔ウェブページの配信処理プログラム〕
上述したウェブページの配信処理プログラムは、上記ウェブページの配信処理サーバ２０において、上述したウェブページの配信処理を実行するためのステップを、上記配信処理サーバ２０であるコンピュータ装置に実行させるものである。